(57)【要約】【課題】  ブロードキャスト又はマルチキャスト装置を作動する方法、情報サービスブロードキャスター又はマルチキャスター、受信機を作動する方法、受信機、及びユーザインタフェースを提供する。【解決手段】  受信機（図２）は、地上デジタルビデオブロードキャストシステムから「ＩＰ」セッション発表信号を受信する。各「ＩＰ」セッション発表（ＲＭ）は、すぐ下のレベルの発表に関する情報、並びに発表メッセージ数のような発表データの量とタイムアウト値とを識別する情報を含む。量のデータは、受信機が関連する発表メッセージの全てを受信する前にいくつのメッセージＸ１からＸ３を受信機が受信する（Ｃ）必要があるかを受信機に教える。タイムアウト値は、メッセージＸ１からＸ３を再び受信する前に受信機がどのくらい待つことができるかを受信機に通知する（メッセージは、その時までにコンテントが変更された可能性がある）。最初にメッセージＸ１からＸ３を受信した後に、受信機は、スリープすることができ（Ｅ）、又は、別のチャンネルＹから発表メッセージを受信することができる（Ｄ）。
2006515125.tif 000002
【特許請求の範囲】
【請求項１】
ブロードキャスト又はマルチキャスト装置を作動する方法であって、
情報サービスのカテゴリに関連するより低いレベルの１つ又はそれ以上の発表と、該発表が関連するカテゴリを示すデータと、前記より低いレベルに関して送信された発表情報の量を示すデータとに関してブロードキャスト又はマルチキャストするように装置を制御する段階、
を含むことを特徴とする方法。
【請求項２】
前記データは、すぐ下のレベルの１つ又はそれ以上の発表に関してブロードキャスト又はマルチキャストされることを特徴とする請求項１に記載の方法。
【請求項３】
前記より低いレベルの発表情報のアクセスの位置を識別する情報をブロードキャスト又はマルチキャストするように前記装置を制御する段階を更に含むことを特徴とする請求項１又は請求項２に記載の方法。
【請求項４】
タイムアウト値を識別する情報をブロードキャスト又はマルチキャストするように前記装置を制御する段階を更に含むことを特徴とする請求項１から請求項３のいずれか１項に記載の方法。
【請求項５】
前記より低いレベルの発表の搬送フォーマットを識別する情報をブロードキャスト又はマルチキャストするように前記装置を制御する段階を更に含むことを特徴とする請求項１から請求項４のいずれか１項に記載の方法。
【請求項６】
前記ブロードキャスト又はマルチキャストは、タイム・スライシングを使用する「インターネットプロトコル」データキャスト送信であることを特徴とする請求項１から請求項５のいずれか１項に記載の方法。
【請求項７】
情報サービスに関連するより低いレベルの１つ又はそれ以上の発表が属するカテゴリを示すデータと、前記より低いレベルの発表に関して送信された発表情報の量を示すデータとをブロードキャスト又はマルチキャストするように構成されたことを特徴とする情報サービスブロードキャスター又はマルチキャスター。
【請求項８】
前記発表データは、すぐ下のレベルの１つ又はそれ以上の発表に関連することを特徴とする請求項７に記載の情報サービスブロードキャスター又はマルチキャスター。
【請求項９】
情報サービスに関するより低いレベルの１つ又はそれ以上の発表が属するカテゴリを示す発表データと、前記より低いレベルの発表に関して送信された発表情報の量を示す量データとを受信機を通じて受信する段階と、
少なくとも部分的に前記量データに依存して、ある一定期間発表データを受信するように前記受信機を制御する段階と、
を含むことを特徴とする、受信機を作動する方法。
【請求項１０】
前記発表データは、すぐ下のレベルの１つ又はそれ以上の発表に関連することを特徴とする請求項９に記載の方法。
【請求項１１】
前記制御する段階は、より高いレベルの関連のある発表の一部として受信した位置に前記受信機を向ける段階を含むことを特徴とする請求項９又は請求項１０に記載の方法。
【請求項１２】
前記より高いレベルの発表に関連して、タイムアウト値を示す情報を受信する段階と、
前記タイムアウト値に依存してある一定期間発表データの受信を中止し、その後発表データの受信を再開するように前記受信機を制御する段階と、
を更に含むことを特徴とする請求項９から請求項１１のいずれか１項に記載の方法。
【請求項１３】
情報サービスに関連するより低い層の１つ又はそれ以上の発表が属するカテゴリを示す発表データと、前記より低いレベルの発表に関して送信された発表情報の量を示す量データとを受信し、
少なくとも部分的に前記量データに依存して、ある一定期間発表データを受信するように構成される、
ことを特徴とする受信機。
【請求項１４】
前記発表データは、すぐ下のレベルの１つ又はそれ以上の発表に関連することを特徴とする請求項１３に記載の受信機。
【請求項１５】
前記より高いレベルの発表の一部として受信可能な位置情報データによって特定された位置に向くように配置されることを特徴とする請求項１３又は請求項１４に記載の受信機。
【請求項１６】
受信機によって受信可能なタイムアウト値に依存してより低いレベルの発表データの受信をある一定期間中止し、情報サービスデータの受信をその後再開するように構成されることを特徴とする請求項１３から請求項１５のいずれか１項に記載の受信機。
【請求項１７】
携帯型バッテリ電源式受信機であることを特徴とする請求項１３から請求項１６のいずれか１項に記載の受信機。
【請求項１８】
タイムスライスされた「インターネットプロトコル」データキャスト送信を受信するように構成されることを特徴とする請求項１３から請求項１７のいずれか１項に記載の受信機。
【請求項１９】
電子プログラム又はサービスガイドを用いて使用可能なユーザインタフェースであって、
情報サービスに関連するより低いレベルの１つ又はそれ以上の発表が属するカテゴリを示すデータと、前記より低いレベルの発表に関して送信された発表情報の量を示す量データとを受信するように構成された受信機モジュールと、
ユーザによって選択可能であり、その数が少なくとも部分的に前記量データに依存するいくつかのカテゴリオプションを表示するように構成されたディスプレイモジュールと、
を含むことを特徴とするユーザインタフェース。
【請求項２０】
実質的に添付図面の図１に示し、及び／又は図１を参照して説明したようなブロードキャスト又はマルチキャストシステム。
【請求項２１】
実質的に添付図面の図２に示し、及び／又は図２を参照して説明したような受信機。
【請求項２２】
実質的に添付図面の図２及び図３を参照して本明細書に説明したような、受信機を作動する方法。
【発明の詳細な説明】
【技術分野】
【０００１】
本発明は、ブロードキャスト又はマルチキャスト装置を作動する方法、情報サービスブロードキャスター又はマルチキャスター、受信機を作動する方法、受信機、及びユーザインタフェースに関する。本発明は、限定はしないが、地上デジタルビデオブロードキャストにおける「インターネットプロトコル」セッションの発表に用途を有する。
【背景技術】
【０００２】
「インターネットプロトコル（ＩＰ）」サービスは、「ＩＰ」セッションを使用して送出される複数の項目を含むことができる。「ＩＰ」セッションは、ライブ又は録音された音楽のような一次コンテントを運ぶ「ＩＰ」ストリーム、及びエラー訂正又は曲の歌詞のような二次コンテントを運ぶ更に別の「ＩＰ」ストリームを含むことができる。「ＩＰ」セッションの別の例は、一次「ＩＰ」ストリームが音声データを運び、二次ストリームがビデオクリップダウンロード及びウェブページプッシュをそれぞれ運ぶニュースである。このようなサービスは、地上デジタルビデオブロードキャスト（ＤＶＢ−Ｔ）を使用して放送することができるが、「ＩＰ」ストリームは、その代わりに、マルチキャスト又はユニキャストすることができる。
【０００３】
「ＤＶＢ」送信システムは、通常、１０Ｍｂｐｓ又はそれ以上のデータ速度を提供する。これは、時分割多重（ＴＤＭ）に基づくタイム・スライシングを使用することにより、平均「ＤＶＢ」受信機電力消費を大きく低減する可能性を提供する。タイムスライスデータは、データが静的帯域幅を使用して送信される場合に必要な帯域幅よりもかなり高い帯域幅を使用してバーストで送られる。バースト内には、次のバーストの始まりまでの時間（デルタ−ｔ）を示すデータが含まれる。バースト間では、サービスデータは送信されず、他のサービスがその帯域幅を使用することを可能にする。これによって、受信機は、その時間のある割合だけアクティブに留まり、同時に、要求されたサービスに対するデータのバーストを依然として受信することができる。移動式可搬端末がより低い一定のビット速度を必要とする場合は、受信したバーストをバッファに入れることでこれを提供することができる。データは、例えば、「デジタルビデオブロードキャスト（ＤＶＢ）；データブロードキャストのためのＤＶＢ仕様」という名称のヨーロッパ規格「ＥＮ  ３０１  １９２」の第７節によるマルチプロトコルカプセル化装置を使用することによってフォーマット設定される。マルチプロトコルカプセル化装置は、タイムスライス信号としてデジタルブロードキャスト受信機にブロードキャストするために、カプセル化されたデータをデジタルブロードキャスト送信機に送る。タイムスライス信号は、連続する一連の送信バーストを含む。
【０００４】
「ＤＶＢ−Ｔ」受信機端末は、「ＩＰ」セッション発表から「ＩＰ」セッションに関する情報を判断することができる。発表は、階層式の構造を有する。最も低いレベルにおいては、情報サービスのサブカテゴリに関する発表は、いくつかのメッセージを含むことができ、各メッセージは、「ＩＰ」セッションを説明する情報、「ＩＰ」ストリームのコンテントを説明する情報、それぞれの「ＩＰ」ストリームの位置に関する情報（例えば、チャンネル周波数など）、セッションのスケジュールに関する情報、及びそれに関するいくつかの他のパラメータを有する。最低レベルの上には、発表の階層的レベルがあり、その各レベルは、すぐ下のレベルの発表のみに関する情報を与える。サービスは、一般的に、最高（又は、ルート）レベルがニュース、スポーツ、エンターテインメントなどのカテゴリと一対一に関連するメッセージを含むことができるように異なるカテゴリに分けられる。スポーツのカテゴリにおける発表は、次に、各々がフットボール、ホッケー、陸上競技などの異なるものに関連するメッセージから構成することができる。任意の数の発表のレベルが存在してもよい。「ＩＰ」セッション発表は、セッション発表プロトコル（ＳＡＰ）メッセージの一部を形成するセッション説明プロトコル（ＳＤＰ）メッセージを使用して作ることができる。
階層内の１つのレベルでの「ＩＰ」セッション発表が、より低いレベル、例えばすぐ下のレベルの「ＩＰ」セッション発表が送信されるチャンネルと異なる周波数を有するチャンネル上で送信されるのは一般的である。これは、単一の無線受信機を有する端末が異なるレベルの発表を同時に受信することが通常は可能ではないことを意味する。
ＷＯ０１／９９３４８は、マルチキャストプロトコルを説明している。
【０００５】
【特許文献１】ＷＯ０１／９９３４８
【非特許文献１】「デジタルビデオブロードキャスト（ＤＶＢ）、データブロードキャストのためのＤＶＢ仕様」、ヨーロッパ規格「ＥＮ  ３０１  １９２」、第７節
【発明の開示】
【０００６】
本発明の第１の態様によると、ブロードキャスト又はマルチキャスト装置を作動する方法が提供され、本方法は、より低いレベルでの情報サービスのカテゴリに関連する１つ又はそれ以上の発表と、発表が関連するカテゴリを示すデータと、そのより低いレベルに関して送信された発表情報の量を示すデータとに関して装置をブロードキャスト又はマルチキャストするように制御する段階を含む。
本発明の第２の態様によると、情報サービスに関するより低いレベルの１つ又はそれ以上の発表が属するカテゴリを示すデータと、そのより低いレベルの発表に関して送信された発表情報の量を示すデータとをブロードキャスト又はマルチキャストするように構成された情報サービスブロードキャスター又はマルチキャスターが提供される。
【０００７】
本発明の第３の態様によると、受信機を作動する方法が提供され、本方法は、情報サービスに関するより低いレベルでの１つ又はそれ以上の発表が属するカテゴリを示す発表データ、及びそのより低いレベルの発表に関して送信された発表情報の量を示す量データを受信機を通じて受信する段階と、量データに少なくとも部分的に依存してある一定期間発表データを受信するように受信機を制御する段階とを含む。
本発明の第４の態様によると、情報サービスに関するより低い層の１つ又はそれ以上の発表が属するカテゴリを示す発表データとそのより低いレベルの発表に関して送信された発表情報の量を示す量データとを受信するための、量データに少なくとも部分的に依存してある一定期間発表データを受信するように構成された受信機が提供される。
【０００８】
本発明の第５の態様によると、電子プログラム又はサービスガイドを用いて使用可能なユーザインタフェースが提供され、本ユーザインタフェースは、情報サービスに関するより低いレベルの１つ又はそれ以上の発表が属するカテゴリを示すデータとそのより低いレベルの発表に関して送信された発表情報の量を示す量データとを受信するように構成された受信機モジュールと、ユーザによって選択可能であり、その数が少なくとも部分的に量データに依存するいくつかのカテゴリオプションを表示するように構成されたディスプレイモジュールとを含む。
【０００９】
量情報を含むことから生じる利点は、一般的に受信機側で得られる。特に、受信機が発表情報を受信するのにどのくらい長い時間必要かを知ることにより、受信機は、リソース、特に電源及び無線受信機のリソースを節約することができる。リソースの節約は、タイムアウト情報も利用可能な場合には最適化することができる。
ここで、添付図面を参照して、本発明の実施形態を単に例示的に以下に説明する。
【発明を実施するための最良の形態】
【００１０】
図１を参照すると、ブロードキャストサーバ装置１０、インターネット１１、「ＤＶＢ−Ｔ」システム１２、無線送信機タワー１３、及びクライアント受信機端末１４を一般的に含む、本発明の実施形態によるブロードキャストシステムが示されている。ブロードキャストサーバ１０は、「ＩＰ」ストリームと複数レベルでの対応する「ＩＰ」セッション発表とを「ＳＡＰ」メッセージとして生成するためのソフトウエアを有する情報サービスブロードキャスター１５を含む。「ＩＰ」ストリームは、従来式とすることができ、本明細書ではそれを更に詳細に説明しない。本発明の別の実施形態では、「ＩＰ」ストリームはまた、タイム・スライシングを使用するいわゆる「ＩＰ」データキャスト・バーストとすることができる。しかし、本発明によると、「ＩＰ」セッション発表は、非従来式である。タイム・スライシングが使用される場合は、セッション発表は、従来のセッション発表と実質的に類似したものである。最低レベルの「ＩＰ」セッション発表を除いて、情報サービスブロードキャスター１５によって発生された各「ＩＰ」セッション発表は、「ＩＰ」宛先アドレスと、現在のレベルの下のレベルの位置「ＳＡＰ」メッセージ発表を見つけることができるポートとを識別する情報を含む。一般的に、これは、現在のレベルのすぐ下のレベルであるが、これは必要なことではない。また、発表は、すぐ下のレベルを含むか又は含まない場合がある複数のより低いレベルに関する可能性がある。各「ＩＰ」セッション発表はまた、「ＳＡＰ」メッセージのメッセージ識別子ハッシュフィールドと、情報サービスが関連するカテゴリ又はサブカテゴリとを含む。メッセージ識別子ハッシュフィールドの各々は、送信元ソースアドレスを有するメッセージを一意的に識別するハッシュ値を含む。各発表はまた、そのカテゴリに関するより低いレベルのメッセージの数とタイムアウト値とを識別する情報を含む。タイムアウト値は、より低いレベルのメッセージの更新間の最小時間に依存して、例えば、それに等しい値に設定することができる。同じく含まれるのは、サービスの送信開始及び停止時間と搬送フォーマット、例えば「ｓａｐ  ｓｄｐ」とである。最も低いレベルの発表メッセージは、移送プロトコル（例えば、ＲＴＰ／ＵＤＰ／ＩＰ）と媒体のフォーマットとを与える。
【００１１】
「ＩＰ」セッション発表は、任意の便利な方法で上述のように列挙した情報を説明することができる。例えば、「ｃｏｕｎｔ」及び「ｔｉｍｅｏｕｔ」パラメータは、「ＳＤＰ」メッセージの「ｃａｔ」属性に含めることができると考えられ、例えば、「ａ＝ｃａｔ：ｘ．ｙ．ｚ  １０  ２０」は、「ｃｏｕｎｔ」１０と「ｔｉｍｅｏｕｔ」２０とを有するカテゴリ「ｘ．ｙ．ｚ」へのポインタを意味する。代替的に、この情報は、例えば「ｍ＝ａｐｐｌｉｃａｔｉｏｎ  ９８８９  ｓａｐ  ｓｄｐ  １０  ２０」のように、「ＳＤＰ」媒体フィールド「ｍ」に含めることができるであろう。
【００１２】
情報サービスブロードキャスター１５によって発生した全てのレベルの「ＩＰ」ストリームと「ＩＰ」セッション発表とは、サーバ１０により、インターネット１１を通じて「ＤＶＢ−Ｔ」システム１２に供給される。ここで、無線送信機タワー１３によってブロードキャストされる前に、「ＩＰ」ストリーム及び「ＩＰ」セッション発表が準備される。この実施例では地上デジタル受信機である端末受信機１４は、アンテナ１６を通じて「ＩＰ」セッション発表を受信する。受信機は、データベース１７、受信機装置１８、構文解析装置１９、及びユーザに示されている異なるカテゴリに関する情報とそのカテゴリに関する発表を見つけることができる位置に関する情報とを含むサービスディレクトリ２０を含む。
【００１３】
クライアント受信機１４の作動は以下の通りである。「ＩＰ」セッション発表が受信され、そのカテゴリ情報は、要求された情報サービス又はカテゴリに関する発表か否かに関して調べられる。要求される情報サービスのアイデンティティがユーザによって入力され、データベースに記憶される。要求されたカテゴリに関する「ＩＰ」セッション発表が見つかると、それが含む情報がローカルに記憶される。記憶された発表から、クライアント受信機１４は、「ＩＰ」アドレスと、より低いレベル、一般的にはすぐ下のレベルの発表のポートとを判断し、受信機１８をその位置に向ける。発表は、「ＩＰ」アドレスとポート情報とを含むことができ、又は、発表に含まれた情報をマッピング情報と組み合わせて、要求された物理的及び論理的チャンネル（位置）を得るようにしてもよい。「ＩＰ」アドレス及びポートから「ＳＡＰ」メッセージを受信することにより、クライアント受信機１４は、より高いレベル、一般的にはすぐ上のレベルの「ＩＰ」セッション発表で与えられた数に等しい数のメッセージを受信して記憶し、その後、タイマ（図示せず）を起動して受信を終える。ここでは、要求されたカテゴリに関するメッセージだけが記憶される。更に、メッセージ識別子ハッシュフィールドからのハッシュ値は、異なるメッセージの各々が確実に受信されて記憶されるように、送信元ソースアドレスと共に調べられる。ハッシュ値が検査されなかったとしたら、例えばメッセージが非反復シーケンスで送信された場合は、メッセージは見落とされたであろう。タイマが関連する「ＩＰ」セッション発表に含まれたタイムアウト値に等しい値の秒数に達した状態で、受信機は、より高いレベルの「ＩＰ」セッション発表で識別された「ＩＰ」アドレス及びポートからの「ＳＡＰ」メッセージを再び受信する。
【００１４】
このようにして、受信機１８は、含まれるメッセージの全てを受信するのに十分な時間に亘って「ＳＡＰ」メッセージを受信するように使用可能にされ、タイムアウト値に依存する時間が経過するまで二度といかなるメッセージも受信しない。すなわち、受信機１８は、その階層レベルの発表メッセージの単に間欠的な受信に対して使用可能にされる。
「ＩＰ」ストリームではなく発表に関連するより低いレベルの発表は、実質的に同じ方法で扱われるが、その代わり、カテゴリではなく要求されるサブカテゴリに関するメッセージに関連する。
クライアント受信機の代替形態は、図２に示されている。
【００１５】
図２を参照すると、可搬端末３０の形態でのクライアント受信機が示されており、この端末は、一般的に、第１アンテナ３１、「ＤＶＢ」アンテナ３４、送受信機３２、「ＤＶＢ」送信を受信するための「ＤＶＢ」受信機３５、中央演算処理装置（ＣＰＵ）３３、及び、好ましくは充電式バッテリの形態の電源を含む。送受信機３２は、第１アンテナ３１とＣＰＵ３３とに接続される。「ＤＶＢ」受信機３５は、「ＤＶＢ」アンテナ３４に接続される。「ＤＶＢ」受信機３５、キーパッド３６、ディスプレイ３７、及び音声出力手段３８も同じく「ＣＰＵ」３３に接続される。ユーザインタフェースは、端末の様々な部分、特に「ＤＶＢ」受信機３５、「ＣＰＵ」３３、及びディスプレイ３７によって構成される。端末３０はまた、携帯電話受話器の他の従来の特徴を含むが、これらは理解しやすいように図２から省かれている。
【００１６】
ユーザが関心を有する情報サービスのアイデンティティは、キーパッド３６を通じて入力される。勿論、入力は、音声指令又はタッチスクリーン（図示せず）などを通じて、任意の他の従来の方法で行うことができる。「ＣＰＵ」３３は、次に、要求された情報サービスに対応する「ＩＰ」セッション発表を見つけて受信するように送受信機３２と「ＤＶＢ」受信機３５とを制御する。要求されたカテゴリに関連する発表情報を受信した状態で、「ＣＰＵ」３３は、より低いレベルの発表のメッセージを受信するように送受信機３２と「ＤＶＢ」受信機３５とを制御する。
【００１７】
いくつかの状況では、「ＣＰＵ」３３は、例えば、もしあるとすれば、利用可能なサブカテゴリ又は「ＩＰ」ストリームのどちらが関連するかを選択するために、更に別のユーザ入力が必要であると判断する場合がある。ここでは、利用可能なサブカテゴリ又はストリームは、ディスプレイ３７を使用して表示され、及び／又は音声出力３８を使用して告知され、ユーザ選択入力が待たれる。この場合、「ＣＰＵ」３３は、ユーザ選択が為されるまでは適切な「ＩＰ」セッション発表又は「ＩＰ」ストリームが受信されないように制御を働かせ、これは、バッテリ電力の節約をもたらす。しかし、「ＤＶＢ」受信機３５は、情報サービスの変更がある場合のために、連続的又は断続的に最高レベルで「ＩＰ」セッション発表を受信し続けるように制御される。利用可能な発表メッセージの数は、チャンネル上のメッセージ数を識別する情報を調べることにより、「ＤＶＢ」受信機３５によって判断される。どのような変更も、表示及び／又は告知されたオプションに反映される。
受信した「ＩＰ」セッション発表に応答して受信機１４及び端末３０が作動することができる方法の実施例を図３を参照して説明する。説明を容易にするために、図２の受信機が参照される。
【００１８】
図３を参照すると、端末３０は、要求されたカテゴリに対応するルートレベルメッセージＲＭ、すなわち、最高レベルの「ＩＰ」セッション発表を受信するためにその「ＤＶＢ」受信機３５を制御することによりＡから開始する。メッセージＲＭは、より低いレベル、一般的に、図１に関連して上述したようなルートレベルのすぐ下のレベルの発表に関する情報の全てを含む。ルートメッセージＲＭから、端末３０は、その「ＤＶＢ」受信機３５が、その時点で既知である「ＩＰ」アドレス及びポートを有するチャンネルＸから発表メッセージを受信すべきであることを段階Ｂで判断し、送受信機３２、並びに相応に受信機を制御する。端末３０はまた、チャンネルＸに３つの異なるメッセージがあり、タイムアウト値が１５秒であることをルートメッセージＲＭから知る。段階Ｃで、「ＤＶＢ」受信機３５は、次に、メッセージの受信を終える前にメッセージＸ１、Ｘ２、及びＸ３の形で３つの発表メッセージを受信する。チャンネルＸは、ルートメッセージＲＭが送信されるチャンネルと同じか又は異なる物理チャンネル上とすることができ、又はそれが異なるマルチキャストグループとすることができることが理解されるであろう。
【００１９】
受信を中止した後に、「ＤＶＢ」受信機３５は、段階Ｄで及びタイムアウト期間中に、チャンネルＸ上のメッセージが関連する１つ又はそれ以上のサブカテゴリに関する発表メッセージを運ぶ別のチャンネルＹ上でメッセージを聞くことができる。代替的に、「ＤＶＢ」受信機３５は、段階ＦでチャンネルＸ上のメッセージを再度受信する前に、段階Ｅでスリープすることができる。受信したメッセージの十分な完全性を保証するために、「ＤＶＢ」受信機３５は、段階Ｅのタイムアウト期間の終わりに再帰的再走査を行うことができる。
【００２０】
他の実施形態（図示せず）では、現在のレベルのすぐ下のレベルの「ＩＰ」セッション発表に含まれるデータの量は、メッセージの数による以外の方法で、例えば、データ送信の持続時間を用いて、又はデータの量（バイト）を用いて最高レベルの「ＩＰ」セッション発表において定義される。
端末３０の他の形態も可能である。説明した実施例では、端末３０は、適切に装備されたラップトップコンピュータのような「ＤＶＢ」ベースバンド機能を備えた任意のものとすることができる。「ＤＶＢ−Ｔ」以外のネットワークが使用される場合は、端末３０は、携帯情報端末（ＰＤＡ）、又はパーソナルステレオのような携帯式音声再生装置などの任意の適切な形態をとることができる。代替的に、受信機は、無線ローカルエリアネットワーク（ＷＬＡＮ）モジュールとすることができるであろう。
代替実施形態では、発表は、「ＳＡＰ」を用いる代わりに「ＵＨＴＴＰ」を用いて、ＭＭＳ又は電子メールのアタッチメント／コンテントを用いて、又は「ＨＴＴＰ」応答を用いて送信することができる。「ＵＨＴＴＰ」は、多くの「ＳＤＰ」メッセージを含むことができるという利点を有する。また、「ＸＭＬ」、「ＲＤＦ」、又は他の任意の適切な構造化言語も、「ＳＤＰ」の代わりに使用することができると考えられる。
【００２１】
ここで図４を参照すると、階層ツリーの実施例が示されている。ここでは、第１の（最高の）レベル（ＤＣＯ）が、第１よりも低い第２レベルの３つのカテゴリ（ニュース、スポーツ、及びエンターテインメント）を有して示されている。第２レベルのカテゴリの各々は、様々なサブカテゴリを含むが（第３のレベルに）、スポーツカテゴリのサブカテゴリ、すなわち、フットボール、バスケットボール、及び陸上競技だけが示されている。図から分るように、フットボールのサブカテゴリは、それに関連する２つのセッション、すなわち、ゲームとフットボールニュースを有する。セッションは、階層の最も低いレベルである。ここで、図２の受信機のユーザインタフェースの作動について、図４及び５を参照して以下に説明する。
【００２２】
まず図５Ａを参照すると、ユーザインタフェースの一部を形成する「ＤＶＢ」受信機３５は、第１レベルに関して送信された発表メッセージを受信し、そこに第２レベルの３つのメッセージがあることを識別する。これらの３つのメッセージは、この場合は「情報」である同じカテゴリに関連する。上述の図に関連して説明したように、ユーザインタフェースによって受信された第１レベルの発表メッセージはまた、それらに関するいくつかの他の情報を含む。「ＤＶＢ」受信機３５は、次に、上述のように３つのメッセージを受信し、受信したメッセージからそれらの各々に対するタイトル又はラベルを取得する。これに応答して、ユーザインタフェースは、第２レベルのメッセージの数に等しいいくつかのオプションを含むスクリーンショット５０を表示し、それらの各々をそれぞれのそのタイトル又はラベルで識別する。
【００２３】
ユーザによる「スポーツ」オプションの選択に関連して、ユーザインタフェースは、「スポーツ」カテゴリの発表に関連し、第３レベルに存在する３つの発表メッセージを受信する。これらのメッセージは、それら３つのオプションのタイトル又はラベルを識別する情報ラベル、並びにそれらのメッセージを受信することができるポート及びアドレスを含む。それらのサブカテゴリを識別するラベルは、次に、図５Ｂのスクリーンショット５１に示すように表示される。
【００２４】
ユーザによる「フットボール」オプションの選択に関連して、ユーザインタフェースは、そのオプションに関する２つのセッションメッセージを受信し、そこからの情報は、図５Ｃのスクリーンショット５２に表示される。この実施例では、スクリーンショット５２は、その朝の試合からのクリップが１５：００から１６：００の間に放送される予定であることを示している。任意的に、ユーザインタフェースは、放送の更なる説明及び／又はより多くの情報を見つけることができるウェブサイトの「ＵＲＬ」のような発表メッセージの一部として同じく受信された他の情報を表示することができる。
以上において、「より高いレベル」及び「より低いレベル」という用語は、階層構造のそれぞれ更に上又は下のレベルに連結した発表などを意味することが認められるであろう。
【図面の簡単な説明】
【００２５】
【図１】本発明の様々な態様による構成要素を含むブロードキャストシステムの概略図である。
【図２】本発明の１つの態様による受信機の概略図である。
【図３】図２の受信機の作動を示す概略図である。
【図４】発表の階層を示す概略図である。
【図５Ａ】本発明の１つの態様により図２の受信機の一部を形成するユーザインタフェースによって生成されたスクリーンショットの１つを示す概略図である。
【図５Ｂ】本発明の１つの態様により図２の受信機の一部を形成するユーザインタフェースによって生成されたスクリーンショットの１つを示す概略図である。
【図５Ｃ】本発明の１つの態様により図２の受信機の一部を形成するユーザインタフェースによって生成されたスクリーンショットの１つを示す概略図である。
【符号の説明】
【００２６】
ＲＭ  ルートレベルメッセージ
Ｘ１、Ｘ２、Ｘ３  発表メッセージ
Ｘ、Ｙ  チャンネル
【図１】
2006515125.tif 000003
【図２】
2006515125.tif 000004
【図３】
2006515125.tif 000005
【図４】
2006515125.tif 000006
【図５Ａ】
2006515125.tif 000007
【図５Ｂ】
2006515125.tif 000008
【図５Ｃ】
2006515125.tif 000009
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
ブロードキャスト又はマルチキャスト装置を作動する方法であって、
情報サービスのカテゴリに関連するより低いレベルの１つ又はそれ以上の発表と、該発表が関連するカテゴリを示すデータと、前記より低いレベルに関して送信された発表情報の量を示すデータとに関してブロードキャスト又はマルチキャストするように装置を制御する段階、
を含むことを特徴とする方法。
【請求項２】
前記データは、すぐ下のレベルの１つ又はそれ以上の発表に関してブロードキャスト又はマルチキャストされることを特徴とする請求項１に記載の方法。
【請求項３】
前記より低いレベルの発表情報のアクセスの位置を識別する情報をブロードキャスト又はマルチキャストするように前記装置を制御する段階を更に含むことを特徴とする請求項１又は請求項２に記載の方法。
【請求項４】
タイムアウト値を識別する情報をブロードキャスト又はマルチキャストするように前記装置を制御する段階を更に含むことを特徴とする請求項１から請求項３のいずれか１項に記載の方法。
【請求項５】
前記より低いレベルの発表の搬送フォーマットを識別する情報をブロードキャスト又はマルチキャストするように前記装置を制御する段階を更に含むことを特徴とする請求項１から請求項４のいずれか１項に記載の方法。
【請求項６】
前記ブロードキャスト又はマルチキャストは、タイム・スライシングを使用する「インターネットプロトコル」データキャスト送信であることを特徴とする請求項１から請求項５のいずれか１項に記載の方法。
【請求項７】
情報サービスに関連するより低いレベルの１つ又はそれ以上の発表が属するカテゴリを示すデータと、前記より低いレベルの発表に関して送信された発表情報の量を示すデータとをブロードキャスト又はマルチキャストするように構成されたことを特徴とする情報サービスブロードキャスター又はマルチキャスター。
【請求項８】
前記発表データは、すぐ下のレベルの１つ又はそれ以上の発表に関連することを特徴とする請求項７に記載の情報サービスブロードキャスター又はマルチキャスター。
【請求項９】
情報サービスに関するより低いレベルの１つ又はそれ以上の発表が属するカテゴリを示す発表データと、前記より低いレベルの発表に関して送信された発表情報の量を示す量データとを受信機（３４）を通じて受信する段階と、
少なくとも部分的に前記量データに依存して、ある一定期間発表データを受信するように前記受信機を制御する段階と、
を含むことを特徴とする、受信機（３０）を作動する方法。
【請求項１０】
前記発表データは、すぐ下のレベルの１つ又はそれ以上の発表に関連することを特徴とする請求項９に記載の方法。
【請求項１１】
前記制御する段階は、より高いレベルの関連のある発表の一部として受信した位置に前記受信機を向ける段階を含むことを特徴とする請求項９又は請求項１０に記載の方法。
【請求項１２】
前記より高いレベルの発表に関連して、タイムアウト値を示す情報を受信する段階と、
前記タイムアウト値に依存してある一定期間発表データの受信を中止し、その後発表データの受信を再開するように前記受信機を制御する段階と、
を更に含むことを特徴とする請求項９から請求項１１のいずれか１項に記載の方法。
【請求項１３】
情報サービスに関連するより低い層の１つ又はそれ以上の発表が属するカテゴリを示す発表データと、前記より低いレベルの発表に関して送信された発表情報の量を示す量データとを受信し、
少なくとも部分的に前記量データに依存して、ある一定期間発表データを受信するように構成される、
ことを特徴とする受信機（３０）。
【請求項１４】
前記発表データは、すぐ下のレベルの１つ又はそれ以上の発表に関連することを特徴とする請求項１３に記載の受信機。
【請求項１５】
前記より高いレベルの発表の一部として受信可能な位置情報データによって特定された位置に向くように配置されることを特徴とする請求項１３又は請求項１４に記載の受信機。
【請求項１６】
受信機によって受信可能なタイムアウト値に依存してより低いレベルの発表データの受信をある一定期間中止し、情報サービスデータの受信をその後再開するように構成されることを特徴とする請求項１３から請求項１５のいずれか１項に記載の受信機。
【請求項１７】
携帯型バッテリ電源式受信機であることを特徴とする請求項１３から請求項１６のいずれか１項に記載の受信機。
【請求項１８】
タイムスライスされた「インターネットプロトコル」データキャスト送信を受信するように構成されることを特徴とする請求項１３から請求項１７のいずれか１項に記載の受信機。
【請求項１９】
電子プログラム又はサービスガイドを用いて使用可能なユーザインタフェースであって、
情報サービスに関連するより低いレベルの１つ又はそれ以上の発表が属するカテゴリを示すデータと、前記より低いレベルの発表に関して送信された発表情報の量を示す量データとを受信するように構成された受信機モジュールと、
ユーザによって選択可能であり、その数が少なくとも部分的に前記量データに依存するいくつかのカテゴリオプションを表示するように構成されたディスプレイモジュールと、
を含むことを特徴とするユーザインタフェース。
【国際調査報告】
2006515125.tif 000010
2006515125.tif 000011
2006515125.tif 000012
2006515125.tif 000013